(57)【要約】【課題】  本発明は、外部装置に画像データを送信する場合、外部装置に送信される画像データに関するデータを電子機器に通知するようにすることによって、外部装置による画像データの管理が適切に行えるようにすることを目的とする。【解決手段】  画像データを生成する生成手段と、記録が指示された場合に、前記生成手段によって生成される画像データを含むファイルが記録媒体に記録されるようにする記録手段と、画像データを受信装置に送信する送信手段と、前記送信手段によって前記受信装置に送信される画像データに関するファイルを識別するためのデータを前記受信装置に送信するようにする制御手段とを有する。【選択図】  図１
2013243473.tif 000002
【特許請求の範囲】
【請求項１】
画像データを生成する生成手段と、
記録が指示された場合に、前記生成手段によって生成される画像データを含むファイルが記録媒体に記録されるようにする記録手段と、
画像データを受信装置に送信する送信手段と、
前記送信手段によって前記受信装置に送信される画像データに関するファイルを識別するためのデータを前記受信装置に送信するようにする制御手段と
を有することを特徴とする送信装置。
【請求項２】
記録が指示されていない場合、前記制御手段は、前記記録手段によって記録されると予測されるファイルを識別するためのデータを前記受信装置に送信するようにし、
前記送信手段は、前記生成手段によって生成される画像データを前記受信装置に送信することを特徴とする請求項１に記載の送信装置。
【請求項３】
記録が指示された場合、前記制御手段は、前記記録手段によって前記記録媒体に記録されるファイルを識別するためのデータを前記受信装置に送信するようにし、
前記送信手段は、前記生成手段によって生成される画像データを前記受信装置に送信することを特徴とする請求項１または２に記載の送信装置。
【請求項４】
前記記録手段によって前記記録媒体に記録されるファイルが分割された場合、前記制御手段は、ファイルの分割が行われた後に前記記録手段によって前記記録媒体に記録されるファイルを識別するためのデータを前記受信装置に送信するようにし、
前記送信手段は、前記生成手段によって生成される画像データを前記受信装置に送信することを特徴とする請求項１から３のいずれか１項に記載の送信装置。
【請求項５】
再生が指示された場合、前記記録媒体に記録されているファイルから画像データを再生する再生手段をさらに有し、
再生が指示された場合、前記制御手段は、前記再生手段によって前記記録媒体から再生される画像データのファイルを識別するためのデータを前記受信装置に送信するようにし、
前記送信手段は、前記再生手段によって再生される画像データを前記受信装置に送信することを特徴とする請求項１から４のいずれか１項に記載の送信装置。
【請求項６】
前記制御手段は、所定の付加データ及び所定のコマンドの少なくとも一つを用いて、前記受信装置に送信される画像データに関するファイルを識別するためのデータを前記受信装置に送信するようにし、
前記所定の付加データは、画像データとともに前記受信装置に送信されることを特徴とする請求項１から５のいずれか１項に記載の送信装置。
【請求項７】
前記制御手段は、ＨＤＭＩ規格に応じて、前記受信装置に送信される画像データに関するファイルを識別するためのデータを前記受信装置に送信するようにすることを特徴とする請求項１から６のいずれか１項に記載の送信装置。
【請求項８】
画像データを生成するステップと、
記録が指示された場合に、生成される画像データを含むファイルが記録媒体に記録されるようにするステップと、
画像データを受信装置に送信するステップと、
前記受信装置に送信される画像データに関するファイルを識別するためのデータを前記受信装置に送信するステップと
を有することを特徴とする制御方法。
【請求項９】
コンピュータを請求項１から７のいずれか１項に記載の送信装置として機能させるためのプログラム。
【発明の詳細な説明】
【技術分野】
【０００１】
本発明は、画像データを外部に送信する送信装置に関する。
【背景技術】
【０００２】
現在、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）と呼ばれる通信インターフェースが提案されている。ＨＤＭＩ規格に準拠した通信システムは、ソース（Ｓｏｕｒｃｅ）装置とシンク（Ｓｉｎｋ）装置とを有する。ソース装置は、画像データをＨＤＭＩインターフェースを介して送信することができる。シンク装置は、ソース装置からの画像データをＨＤＭＩインターフェースを介して受信し、受信した画像データを表示器に表示することができる。
【０００３】
従来、シンク装置の解像度の情報を含むＥＤＩＤ（Ｅｘｔｅｎｄｅｄ  Ｄｉｓｐｌａｙ  Ｉｄｅｎｔｉｆｉｃａｔｉｏｎ  Ｄａｔａ）をシンク装置から取得するソース装置が知られている（特許文献１）。このソース装置は、シンク装置から取得したＥＤＩＤを用いてシンク装置に送信するためのデータを生成する。
【先行技術文献】
【特許文献】
【０００４】
【特許文献１】特開２００９−７７３４７号公報
【発明の概要】
【発明が解決しようとする課題】
【０００５】
このような通信システムにおいて、ソース装置は、シンク装置に画像データを送信する場合、ソース装置に記録されている画像データをＨＤＭＩ規格の伝送方式に対応する画像データに変換するための変換処理を行っていた。さらに、この場合、ソース装置は、ＨＤＭＩ規格の伝送方式に応じて、変換処理によって生成された画像データをシンク装置に送信していた。ソース装置から画像データを受信したシンク装置は、ソース装置からＨＤＭＩ規格の伝送方式に応じて受信した画像データを視聴したり、記録したり、編集したり、管理することができる。
【０００６】
しかし、この場合、シンク装置は、変換処理が行われる前の画像データに関するデータをソース装置から通知されないため、ソース装置から受信した画像データを管理することが不便であった。
【０００７】
そこで、本発明は、外部装置に画像データを送信する場合、外部装置に送信される画像データに関するデータを電子機器に通知するようにすることによって、外部装置による画像データの管理が適切に行えるようにすることを目的とする。
【課題を解決するための手段】
【０００８】
本発明に係る送信装置は、画像データを生成する生成手段と、記録が指示された場合に、前記生成手段によって生成される画像データを含むファイルが記録媒体に記録されるようにする記録手段と、画像データを受信装置に送信する送信手段と、前記送信手段によって前記受信装置に送信される画像データに関するファイルを識別するためのデータを前記受信装置に送信するようにする制御手段とを有することを特徴とする。
【０００９】
また、本発明に係る制御方法は、画像データを生成するステップと、記録が指示された場合に、生成される画像データを含むファイルが記録媒体に記録されるようにするステップと、画像データを受信装置に送信するステップと、前記受信装置に送信される画像データに関するファイルを識別するためのデータを前記受信装置に送信するステップとを有することを特徴とする。
【発明の効果】
【００１０】
本発明によれば、外部装置に画像データを送信する場合、外部装置に送信される画像データに関するデータを外部装置に通知するようにすることによって、外部装置による画像データの管理が適切に行えるようにすることができる。
【図面の簡単な説明】
【００１１】
【図１】実施例１に係る通信システムの一例を示す図である。
【図２】実施例１に係る画像伝送システムの一例を示す図である。
【図３】実施例１に係る受信装置の一例を示す図である。
【図４】実施例１に係る送信装置において行われる第１の動作の一例を示す図である。
【図５】実施例１に係る送信装置において行われる第２の動作の一例を示す図である。
【図６】実施例１に係る送信装置において行われる通知処理の一例を示す図である。
【発明を実施するための形態】
【００１２】
以下、本発明の実施例の説明は図面を参照しながら行う。ただし、以下の実施例はあくまでも一例であって、本発明は以下の実施例に限定されるものではない。
【００１３】
［実施例１］
実施例１に係る通信システムは、図１に示すように、送信装置１００と受信装置３００とが、接続ケーブル２００を介して通信可能に接続されている。実施例１に係る通信システムにおける送信装置１００及び受信装置３００は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）規格に対応する通信を行うことができるデバイスである。なお、実施例１において、接続ケーブル２００は、ＨＤＭＩ規格に対応する。
【００１４】
接続ケーブル２００には、不図示のパワーライン、不図示のＨＰＤ（Ｈｏｔ  Ｐｌｕｇ  Ｄｅｔｅｃｔ）ライン及びＤＤＣ（Ｄｉｓｐｌａｙ  Ｄａｔａ  Ｃｈａｎｎｅｌ）ライン２０１が含まれる。さらに、接続ケーブル２００には、ＴＭＤＳ（Ｔｒａｎｓｉｔｉｏｎ−Ｍｉｎｉｍｉｚｅｄ  Ｄｉｆｆｅｒｅｎｔｉａｌ  Ｓｉｇｎａｌｉｎｇ）ライン２０２及びＣＥＣ（Ｃｏｎｓｕｍｅｒ  Ｅｌｅｃｔｒｏｎｉｃｓ  Ｃｏｎｔｒｏｌ）ライン２０３が含まれる。
【００１５】
なお、送信装置１００は、デジタル一眼レフカメラ、デジタルスチルカメラやデジタルビデオカメラ等の撮像装置であっても良く、携帯電話やスマートフォン等の通信装置であってもよい。なお、送信装置１００は、画像データを生成する手段を有する電子機器であれば良いものとする。また、受信装置３００は、テレビ、パーソナルコンピュータやプロジェクタ等の表示装置であってもよく、レコーダやハードディスクドライブ等の記録装置であってもよい。また、受信装置３００は、送信装置１００から画像データや音声データを受信する電子機器であっても良いものとする。
【００１６】
次に、図１を参照し、送信装置１００について説明する。送信装置１００は、ＣＰＵ（Ｃｅｎｔｒａｌ  Ｐｒｏｃｅｓｓｉｎｇ  Ｕｎｉｔ）１０１、メモリ１０２、通信部１０３、撮像部１０４、画像処理部１０５、記録部１０６、表示部１０７及び操作部１０８を有する。なお、通信部１０３、撮像部１０４、画像処理部１０５及び記録部１０６を含むシステムを画像伝送システム４００と呼ぶ。なお、画像伝送システム４００の構成は、図２に示す。送信装置１００の動作モードには、撮影モードや再生モードがある。
【００１７】
ＣＰＵ１０１は、メモリ１０２に格納されているコンピュータプログラムに従って、送信装置１００の動作を制御するための制御手段である。ＣＰＵ１０１は、受信装置３００から取得した受信装置３００のデバイス情報を解析することにより、受信装置３００の画像表示能力及び音声処理能力を知ることができる。受信装置３００のデバイス情報とは、例えば、受信装置３００に記録されているＥＤＩＤ（Ｅｘｔｅｎｄｅｄ  Ｄｉｓｐｌａｙ  Ｉｄｅｎｔｉｆｉｃａｔｉｏｎ  Ｄａｔａ）またはＥ−ＥＤＩＤ（Ｅｎｈａｎｃｅｄ  ＥＤＩＤ）である。ＥＤＩＤ及びＥ−ＥＤＩＤはいずれも、受信装置３００の識別情報、受信装置３００がサポートしている解像度、走査周波数、アスペクト比、色空間などに関する情報等が含まれている。Ｅ−ＥＤＩＤは、ＥＤＩＤを拡張したものであり、ＥＤＩＤよりも多くの能力情報を含む。例えば、Ｅ−ＥＤＩＤには、受信装置３００がサポートしている映像データ及び音声データのフォーマットなどに関する情報が含まれている。以下、ＥＤＩＤ及びＥ−ＥＤＩＤをいずれも「ＥＤＩＤ」と呼ぶ。
【００１８】
受信装置３００からＤＤＣライン２０１を介して、ＥＤＩＤを取得した送信装置１００は、ＤＤＣライン２０１を介して取得したＥＤＩＤを解析する。送信装置１００は、ＥＤＩＤの解析結果から受信装置３００の画像表示能力、音声処理能力などを知ることができる。さらに、送信装置１００は、受信装置３００の画像表示能力及び音声処理能力に適した映像データ及び音声データを生成することができる。
【００１９】
メモリ１０２は、ＣＰＵ１０１のワークエリアとして機能する。メモリ１０２には、受信装置３００から取得したＥＤＩＤ、送信装置１００に関する情報及びＣＰＵ１０１による解析の結果等も格納される。なお、ＣＰＵ１０１のワークエリアは、メモリ１０２に限られるものではなく、ハードディスクドライブ等の外部メモリ等であってもよい。
【００２０】
通信部１０３は、接続ケーブル２００を接続するための接続端子（コネクタ）を有する。さらに、通信部１０３は、ＥＤＩＤ取得部１０３ａ、データ送信部１０３ｂ及びコマンド処理部１０３ｃを有する。
【００２１】
ＥＤＩＤ取得部１０３ａは、ＤＤＣライン２０１を介して受信装置３００からＥＤＩＤを取得する。ＥＤＩＤ取得部１０３ａによって、受信装置３００から取得されたＥＤＩＤは、ＣＰＵ１０１に供給される。
【００２２】
データ送信部１０３ｂは、受信装置３００の画像表示能力に適した映像データ、受信装置３００の音声処理能力に適した音声データ及び付加データを、ＴＭＤＳライン２０２を介して受信装置３００に送信する。データ送信部１０３ｂによって受信装置３００に送信される映像データ及び音声データは、ＥＤＩＤ取得部１０３ａによって取得されるＥＤＩＤに応じて生成される。なお、データ送信部１０３ｂによって受信装置３００に送信される画像データは、静止画データ及び動画データの少なくとも一つを含むものであってもよい。
【００２３】
コマンド処理部１０３ｃは、ＣＥＣライン２０３を介して接続される受信装置３００に、ＣＥＣプロトコルに対応するコマンドを送信することができる。さらに、コマンド処理部１０３ｃは、ＣＥＣライン２０３を介して接続される受信装置３００からＣＥＣプロトコルに対応するコマンドを受信することができる。
【００２４】
なお、コマンド処理部１０３ｃは、受信装置３００から受信したコマンドをＣＰＵ１０１に供給することができる。ＣＰＵ１０１は、コマンド処理部１０３ｃから供給されるコマンドを解析し、その解析結果に応じて、送信装置１００を制御する。なお、受信装置３００に送信するコマンドは、ＣＰＵ１０１によって生成される。
【００２５】
撮像部１０４の構成を図２に示す。撮像部１０４は、光学系１０４ａ及び撮像素子１０４ｂを有する。撮像部１０４は、光学系１０４ａを介して入射した被写体の光学像を撮像素子１０４ｂによって光電変換することによって、アナログデータを生成する。撮像部１０４によって生成されたアナログデータは、画像処理部１０５に供給される。撮像素子１０４ｂは、例えば、ＣＭＯＳセンサやＣＣＤセンサ等を含む。
【００２６】
画像処理部１０５の構成を図２に示す。画像処理部１０５は、信号処理部１０５ａ、符号化処理部１０５ｂ及びデータ生成部１０５ｃを有する。
【００２７】
画像処理部１０５は、撮像部１０４から供給されたアナログデータに対して、アナログデータからデジタルデータに変換するために処理、ゲインコントロール処理及び色補間処理等の処理を行うように信号処理部１０５ａを制御し、画像データを生成する。
【００２８】
信号処理部１０５ａによって生成された画像データは、符号化処理部１０５ｂ及びデータ生成部１０５ｃに供給される。信号処理部１０５ａによって生成された画像データは、符号化処理部１０５ｂを介して記録部１０６に供給される。信号処理部１０５ａによって生成された画像データは、データ生成部１０５ｃを介して通信部１０３に供給される。
【００２９】
符号化処理部１０５ｂは、信号処理部１０５ａから供給される画像データに対して、符号化処理を行う。符号化処理は、例えば、適応離散コサイン変換（ＡＤＣＴ）等により画像データを符号化するための処理を含む。なお、画像データを符号化する方式として、例えば、ＪＰＥＧ方式、ＭＰＥＧ方式、ＲＡＷ方式等が挙げられる。符号化処理部１０５ｂによって符号化が行われた画像データは、記録部１０６に供給される。
【００３０】
データ生成部１０５ｃは、ＥＤＩＤ取得部１０３ａによって取得されたＥＤＩＤに基づいて、信号処理部１０５ａから供給される画像データからデータ送信部１０３ｂに供給するための画像データを生成する。データ生成部１０５ｃは、信号処理部１０５ａから供給される画像データに対して、受信装置３００の表示能力に対応する画像データに変換するための処理を行い、データ送信部１０３ｂに供給するための画像データを生成する。生成された画像データは、データ生成部１０５ｃからデータ送信部１０３ｂに供給され、受信装置３００に送信される。
【００３１】
データ送信部１０３ｂは、ＣＰＵ１０１からの指示に応じて、データ生成部１０５ｃから供給される画像データをＴＭＤＳライン２０２を介して受信装置３００に送信する。
【００３２】
記録部１０６の構成を図２に示す。記録部１０６は、記録媒体１０６ａと接続される場合、記録媒体１０６ａにデータを記録することができる。また、記録部１０６は、記録媒体１０６ａと接続される場合、記録媒体１０６ａに記録されているデータを読み出すことができる。記録部１０６は、記録媒体１０６ａと接続されていない場合、データを記録媒体１０６ａに記録することも、データを記録媒体１０６ａから読み出すこともできない。なお、記録媒体１０６ａは、送信装置１００に内蔵されている記録デバイスであってもよく、送信装置１００に着脱可能な外部の記録デバイスであってもよいものとする。また、記録媒体１０６ａは、メモリカードであってもよく、ハードディスクドライブであってもよい。
【００３３】
記録部１０６は、ファイル生成部１０６ｂを有する。記録部１０６は、符号化処理部１０５ｂから供給される画像データに対応するファイルを生成するための処理を行うようにファイル生成部１０６ｂを制御する。ファイル生成部１０６ｂによって生成されるファイルには、符号化処理部１０５ｂによって符号化された画像データ及び画像データのステータスデータが含まれる。ステータスデータは、画像データが生成される際の設定を示すデータである。ステータスデータには、例えば、画像データに含まれる各フレームのフレームレートを示すデータや、画像データに含まれる各フレームのタイムコードを示すデータ、画像データに対応する画素レンジを示すデータ等が含まれる。
【００３４】
なお、ファイル生成部１０６ｂは、符号化処理部１０５ｂによって符号化された画像データの各フレームにタイムコードを付加することによって、ファイルを生成する。記録部１０６は、ファイル生成部１０６ｂによって生成されたファイルを記録媒体１０６ａに記録する。さらに、記録部１０６は、ファイル生成部１０６ｂによって生成されたファイルに対応するステータスデータを通信部１０３に供給することもできる。
【００３５】
送信装置１００が撮影モードである場合、ユーザが所望の画像データを記録する場合、画像処理部１０５によって生成された画像データを記録媒体１０６ａに記録することができる。
【００３６】
表示部１０７は、液晶ディスプレイなどの表示器により構成される。表示部１０７は、送信装置１００が撮影モードである場合、撮像部１０４及び画像処理部１０５によって生成された画像データを表示する。また、送信装置１００が再生モードである場合、表示部１０７は、記録媒体１０６ａから読み出された画像データを表示する。
【００３７】
操作部１０８は、送信装置１００を操作するためのユーザインターフェースを提供する。操作部１０８は、送信装置１００を操作するためのボタン、スイッチ及びタッチパネル等により構成される。ＣＰＵ１０１は、操作部１０８を介して入力されたユーザの指示に従って送信装置１００を制御することができる。ユーザによって操作部１０８のボタンが操作された場合、操作部１０８から各ボタンに応じた操作信号がＣＰＵ１０１に入力される。ＣＰＵ１０１は操作部１０８から入力された操作信号を解析し、解析結果に応じて操作信号に対応した処理を判定する。
【００３８】
次に、図３を参照し、受信装置３００について説明する。受信装置３００は、ＣＰＵ３０１、画像処理部３０２、通信部３０３、記録部３０４、操作部３０５、メモリ３０６、表示部３０７及びファイル生成部３０８を有する。
【００３９】
ＣＰＵ３０１は、メモリ３０６に記録されているコンピュータプログラムに従って受信装置３００の動作を制御する。
【００４０】
画像処理部３０２は、記録部３０４によって記録媒体３０４ａから読み出された画像データ及び通信部３０３によって送信装置１００から受信された画像データのいずれか一つに対してさまざまな画像処理を行う。画像処理部３０２によって画像処理が行われた画像データは、記録部３０４及び表示部３０７の少なくとも一つに供給される。
【００４１】
通信部３０３は、接続ケーブル２００を接続するための接続端子を有する。通信部３０３は、送信装置１００から送信された画像データ及び付加データをＴＭＤＳライン２０２を介して受信する。通信部３０３によって送信装置１００から受信された画像データは、画像処理部３０２、記録部３０４、表示部３０７及びファイル生成部３０８の少なくとも一つに供給される。通信部３０３によって送信装置１００から受信した付加データは、ファイル生成部３０８に供給される。
【００４２】
記録部３０４は、画像処理部３０２から供給される画像データを記録媒体３０４ａに記録する。また、記録部３０４は、記録媒体３０４ａに記録されている画像データを画像処理部３０２及び表示部３０７の少なくとも一つに供給することもできる。記録媒体３０４ａは、受信装置３００に内蔵されているメモリであってもよく、受信装置３００に取り外し可能な外部のメモリであってもよい。
【００４３】
操作部３０５は、受信装置３００を操作するためのユーザインターフェースを提供する。
【００４４】
メモリ３０６は、ＣＰＵ３０１のワークエリアとして機能する。さらに、メモリ１０２は、ＤＤＣライン２０１を介して送信装置１００に送信するためのＥＤＩＤを格納している。
【００４５】
表示部３０７は、通信部３０３、画像処理部３０２及び記録部３０４のいずれか一つから供給される画像データを表示する。
【００４６】
ファイル生成部３０８は、通信部３０３から供給される付加データ及び画像データを用いてファイルを生成する。生成されたファイルは、記録部３０４に供給されて記録媒体３０４ａに記録される。
【００４７】
なお、ファイル生成部３０８が送信装置１００から受信した画像データを含むファイルを生成する場合、デジタルカメラシステムの規定によると、生成したファイルのファイル名を受信装置３００から送信装置１００に指定することはできない。そのため、受信装置３００において、送信装置１００から受信した画像データを含むファイルの生成が行われる場合、送信装置１００は、受信装置３００によって生成されるファイルに対応するファイル名を通知する必要がある。
【００４８】
次に、図４を参照し、送信装置１００がファイル名を受信装置３００に通知する場合において、送信装置１００によって行われる第１の動作について説明を行う。なお、第１の動作が行われる場合、送信装置１００の動作モードは、撮影モードであるものとする。
【００４９】
送信装置１００に記録されるファイルをメインの画像として用いるとともに、受信装置３００において、送信装置１００から送信される画像データに基づいて生成されるファイルをプロキシ画像として用いるための動作を図４の（ａ）に示す。なお、この場合、ファイル生成部１０６ｂによって生成されるファイルは、記録媒体１０６ａに記録されるものとして、以下説明を行う。
【００５０】
データ送信部１０３ｂによって画像データがＴＭＤＳライン２０２を介して受信装置３００に送信される場合に、撮像部１０４及び画像処理部１０５によって生成される画像データが記録媒体１０６ａに記録されていない場合、ＣＰＵ１０１は、Ｓ１の処理を行う。Ｓ１において、ＣＰＵ１０１は、次に送信装置１００によって記録されるファイルに対応するファイル名を受信装置３００に送信するようにする。なお、次に、送信装置１００によって記録されるファイルに対応するファイル名を「第１のファイル名」と呼ぶものとする。なお、第１のファイル名とともに、受信装置３００に送信される画像データのステータスデータが受信装置３００に送信されるようにしてもよいものとする。
【００５１】
Ｓ２において、ユーザから画像データの記録を開始するための操作信号が操作部１０８を介して送信装置１００に入力される。この場合、ＣＰＵ１０１は、撮像部１０４及び画像処理部１０５によって生成される画像データを含むファイルを生成するようにファイル生成部１０６ｂを制御する。さらに、この場合、ＣＰＵ１０１は、生成されたファイルが記録媒体１０６ａに記録されるように記録部１０６を制御する。この場合、Ｓ３において、ＣＰＵ１０１は、記録媒体１０６ａに記録されるファイルに対応するファイル名を受信装置３００に送信するようにする。なお、記録媒体１０６ａに記録されるファイルに対応するファイル名を「第２のファイル名」と呼ぶものとする。なお、第２のファイル名とともに、受信装置３００に送信される画像データのステータスデータが受信装置３００に送信されるようにしてもよいものとする。
【００５２】
Ｓ４において、ユーザから画像データの記録を開始するための操作信号が操作部３０５を介して受信装置３００に入力される。この場合、ＣＰＵ３０１は、通信部３０３によって送信装置１００から受信された画像データと、Ｓ３において送信装置１００から通知された第２のファイル名とを用いてファイルを生成するようにファイル生成部３０８を制御する。この場合、ファイル生成部３０８において、記録媒体１０６ａに記録されるファイルのファイル名と一致するファイルが生成される。
【００５３】
Ｓ５において、ユーザから画像データの記録を終了するための操作信号が操作部３０５を介して受信装置３００に入力される。この場合、ＣＰＵ３０１は、ファイル生成部３０８によって生成されたファイルを記録媒体３０４ａに記録する処理を停止するように記録部３０４を制御する。
【００５４】
Ｓ６において、ユーザから画像データの記録を終了するための操作信号が操作部１０８を介して送信装置１００に入力される。この場合、ＣＰＵ１０１は、ファイル生成部１０６ｂによって生成されたファイルを記録媒体１０６ａに記録する処理を停止するように記録部１０６を制御する。この後、撮像部１０４及び画像処理部１０５によって生成される画像データは、記録媒体１０６ａに記録されなくなる。
【００５５】
次に、Ｓ７において、ＣＰＵ１０１は、Ｓ１の処理と同様に、第１のファイル名を受信装置３００に送信するようにする。Ｓ７の処理は、画像データの記録を開始するための操作信号が操作部１０８を介して送信装置１００に入力されるまで、ＣＰＵ１０１によって行われる。
【００５６】
次に、送信装置１００に記録されるファイルをプロキシ画像として用いるとともに、受信装置３００において、送信装置１００から送信される画像データに基づいて生成されるファイルをメインの画像として用いるための動作を図４の（ｂ）に示す。なお、この場合、ファイル生成部１０６ｂによって生成されるファイルは、記録媒体１０６ａに記録されるものとして、以下説明を行う。
【００５７】
データ送信部１０３ｂによって画像データがＴＭＤＳライン２０２を介して受信装置３００に送信される場合に、撮像部１０４及び画像処理部１０５によって生成される画像データが記録媒体１０６ａに記録されていない場合、ＣＰＵ１０１は、Ｓ１１の処理を行う。Ｓ１１において、ＣＰＵ１０１は、Ｓ１の処理と同様に、第１のファイル名を受信装置３００に送信するようにする。
【００５８】
Ｓ１２において、ユーザから画像データの記録を開始するための操作信号が操作部３０５を介して受信装置３００に入力される。この場合、ＣＰＵ３０１は、通信部３０３によって送信装置１００から受信された画像データと、Ｓ１１において送信装置１００から通知された第１のファイル名とを用いてファイルを生成するようにファイル生成部３０８を制御する。
【００５９】
Ｓ１３において、ユーザから画像データの記録を開始するための操作信号が操作部１０８を介して送信装置１００に入力される。この場合、ＣＰＵ１０１は、撮像部１０４及び画像処理部１０５によって生成される画像データを含むファイルを生成するようにファイル生成部１０６ｂを制御する。さらに、この場合、ＣＰＵ１０１は、生成されたファイルが記録媒体１０６ａに記録されるように記録部１０６を制御する。この場合、Ｓ１４において、ＣＰＵ１０１は、第２のファイル名を受信装置３００に送信するようにする。この場合、ＣＰＵ３０１は、Ｓ１２において生成されるファイルに含まれるファイル名を、Ｓ１４において送信装置１００から通知された第２のファイル名に置き換えるようにファイル生成部３０８を制御する。
【００６０】
Ｓ１５において、ユーザから画像データの記録を終了するための操作信号が操作部１０８を介して送信装置１００に入力される。この場合、ＣＰＵ１０１は、ファイル生成部１０６ｂによって生成されたファイルを記録媒体１０６ａに記録する処理を停止するように記録部１０６を制御する。この後、撮像部１０４及び画像処理部１０５によって生成される画像データは、記録媒体１０６ａに記録されなくなる。
【００６１】
次に、Ｓ１６において、ＣＰＵ１０１は、Ｓ１１の処理と同様に、第１のファイル名を受信装置３００に送信するようにする。Ｓ１６の処理は、画像データの記録を開始するための操作信号が操作部１０８を介して送信装置１００に入力されるまで、ＣＰＵ１０１によって行われる。
【００６２】
Ｓ１７において、ユーザから画像データの記録を終了するための操作信号が操作部３０５を介して受信装置３００に入力される。この場合、ＣＰＵ３０１は、ファイル生成部３０８によって生成されたファイルを記録媒体３０４ａに記録する処理を停止するように記録部３０４を制御する。
【００６３】
次に、図５を参照し、送信装置１００によって分割されたファイルに対応するファイル名を受信装置３００に通知する場合で、送信装置１００によって生成されるファイルが分割される場合に、送信装置１００によって行われる第２の動作について説明を行う。
【００６４】
送信装置１００に記録されるファイルをメインの画像として用いるとともに、受信装置３００において、送信装置１００から送信される画像データに基づいて生成されるファイルをプロキシ画像として用いるための動作を図５の（ａ）に示す。なお、この場合、ファイル生成部１０６ｂによって生成されるファイルは、記録媒体１０６ａに記録されるものとする。なお、図５の（ａ）において説明されるＳ２１〜Ｓ２４までの処理は、図４の（ａ）において説明されるＳ１〜Ｓ４までの処理と共通する処理であるため、説明を省略する。さらに、図５の（ａ）において説明されるＳ２６〜Ｓ２８までの処理は、図４の（ａ）において説明されるＳ５〜Ｓ７までの処理と共通する処理であるため、説明を省略する。以下、図５の（ａ）を参照し、図４の（ａ）と異なる処理について説明を行う。
【００６５】
Ｓ２２でファイル生成部１０６ｂによって生成されるファイルのデータ量Ｍが所定値Ａ以下でない場合、Ｓ２５において、ＣＰＵ１０１は、ファイル生成部１０６ｂによって生成されるファイルを分割するようにファイル生成部１０６ｂを制御する。この場合、ＣＰＵ１０１は、Ｓ２２でファイル生成部１０６ｂによって生成され、かつ、記録媒体１０６ａに記録されたファイルと異なるファイルを新たに生成するようにファイル生成部１０６ｂを制御する。この場合、ファイル生成部１０６ｂによって新たに生成されて記録媒体１０６ａに記録されるファイルに対応するファイル名を受信装置３００に送信するようにする。なお、ファイル生成部１０６ｂによって新たに生成されて、記録媒体１０６ａに記録されるファイルに対応するファイル名を「第３のファイル名」と呼ぶものとする。なお、第３のファイル名とともに、受信装置３００に送信される画像データのステータスデータが受信装置３００に送信されるようにしてもよいものとする。さらに、なお、第３のファイル名とともに、さらに、送信装置１００によってファイルが分割されたことを示すデータが受信装置３００に送信されるようにしてもよいものとする。第３のファイル名が受信装置３００で受信された場合、ＣＰＵ３０１は、送信装置１００から受信された画像データと、Ｓ２５において送信装置１００から通知された第３のファイル名とを用いてファイルを分割するようにファイル生成部３０８を制御する。この場合、ファイル生成部３０８において、Ｓ２５において記録媒体１０６ａに記録されるファイルのファイル名と一致するファイルが生成される。
【００６６】
次に、送信装置１００に記録されるファイルをプロキシ画像として用いるとともに、受信装置３００において、送信装置１００から送信される画像データに基づいて生成されるファイルをメインの画像として用いるための動作を図５の（ｂ）に示す。なお、この場合、ファイル生成部１０６ｂによって生成されるファイルは、記録媒体１０６ａに記録されるものとして、以下説明を行う。なお、図５の（ｂ）において説明されるＳ３１〜Ｓ３４までの処理は、図４の（ｂ）において説明されるＳ１１〜Ｓ１４までの処理と共通する処理であるため、説明を省略する。さらに、図５の（ｂ）において説明されるＳ３６〜Ｓ３８までの処理は、図４の（ｂ）において説明されるＳ１５〜Ｓ１７までの処理と共通する処理であるため、説明を省略する。以下、図５の（ｂ）を参照し、図４の（ｂ）と異なる処理について説明を行う。
【００６７】
Ｓ３３でファイル生成部１０６ｂによって生成されるファイルのデータ量Ｍが所定値Ａ以下でない場合、Ｓ３５において、ＣＰＵ１０１は、ファイル生成部１０６ｂによって生成されるファイルを分割するようにファイル生成部１０６ｂを制御する。この場合、ＣＰＵ１０１は、Ｓ３３でファイル生成部１０６ｂによって生成され、かつ、記録媒体１０６ａに記録されたファイルと異なるファイルを新たに生成するようにファイル生成部１０６ｂを制御する。この場合、ＣＰＵ１０１は、第３のファイル名を受信装置３００に送信するようにする。さらに、第３のファイル名が受信装置３００で受信された場合、ＣＰＵ３０１は、送信装置１００から受信された画像データと、Ｓ３５において送信装置１００から通知された第３のファイル名とを用いてファイルを分割するようにファイル生成部３０８を制御する。この場合、ファイル生成部３０８において、Ｓ３５において記録媒体１０６ａに記録されるファイルのファイル名と一致するファイルが生成される。
【００６８】
なお、受信装置３００は、第１のファイル名、第２のファイル及び第３のファイル名のいずれか一つが通知された場合、送信装置１００から通知されたファイル名を用いて、送信装置１００から受信した画像データを含むファイルを生成するようにした。しかし、受信装置３００は、送信装置１００から受信した画像データの編集が行われる場合に、送信装置１００から通知されたファイル名を用いて、送信装置１００から受信した画像データを含むファイルを生成するようにしてもよい。そのため、受信装置３００は、ファイルの生成が指示されるまで、送信装置１００から通知されたファイル名を用いて、送信装置１００から受信した画像データを含むファイルを生成する処理を行わないようにしてもよい。
【００６９】
なお、送信装置１００は、例えば、ＣＥＣプロトコルに規定されている＜Ｖｅｎｄｏｒ  Ｃｏｍｍａｎｄ  ｗｉｔｈ  ＩＤ＞を用いることによって、第１のファイル名、第２のファイル名及び第３のファイル名の少なくとも一つを受信装置３００に送信してもよい。なお、＜Ｖｅｎｄｏｒ  Ｃｏｍｍａｎｄ  ｗｉｔｈ  ＩＤ＞は、Ｖｅｎｄｏｒ  ＩＤを含むコマンドであって、製造者（メーカー）ごとに規定することができるコマンドである。例えば、送信装置１００が第１のファイル名を受信装置３００に送信する場合、ＣＰＵ１０１は、第１のファイル名を示すデータを含む＜Ｖｅｎｄｏｒ  Ｃｏｍｍａｎｄ  ｗｉｔｈ  ＩＤ＞が受信装置３００に送信されるようにコマンド処理部１０３ｃを制御する。なお、第２のファイル名や、第３のファイル名を＜Ｖｅｎｄｏｒ  Ｃｏｍｍａｎｄ  ｗｉｔｈ  ＩＤ＞を用いて、受信装置３００に送信する場合も、第１のファイル名を送信する場合と同様であるものとする。以下、＜Ｖｅｎｄｏｒ  Ｃｏｍｍａｎｄ  ｗｉｔｈ  ＩＤ＞を「所定のコマンド」と呼ぶ。
【００７０】
また、送信装置１００は、ＨＤＭＩ規格に規定されているＶｅｎｄｏｒ−Ｓｐｅｃｉｆｉｃ  ＩｎｆｏＦｒａｍｅを用いることによって、第１のファイル名、第２のファイル名及び第３のファイル名の少なくとも一つを受信装置３００に送信してもよい。なお、Ｖｅｎｄｏｒ  Ｓｐｅｃｉｆｉｃ  ＩｎｆｏＦｒａｍｅは、Ｖｅｎｄｏｒ  ＩＤを含む付加データであって、製造者ごとに規定することができる付加データである。例えば、送信装置１００が第１のファイル名を受信装置３００に送信する場合、ＣＰＵ１０１は、第１のファイル名を示すデータを含む付加データが受信装置３００に送信されるようにデータ送信部１０３ｂを制御する。なお、第２のファイル名や、第３のファイル名をＶｅｎｄｏｒ−Ｓｐｅｃｉｆｉｃ  ＩｎｆｏＦｒａｍｅを用いて、受信装置３００に送信する場合も、第１のファイル名を送信する場合と同様であるものとする。以下、Ｖｅｎｄｏｒ−Ｓｐｅｃｉｆｉｃ  ＩｎｆｏＦｒａｍｅを「所定の付加データ」と呼ぶ。
【００７１】
次に、図６を参照して、実施例１に係る送信装置１００で行われる通知処理について説明する。なお、通知処理は、送信装置１００と受信装置３００とが接続ケーブル２００を介して接続されている場合に実行される。実施例１では、ＣＰＵ１０１が、メモリ１０２に格納されているコンピュータプログラムに従って通知処理を制御する場合を説明する。なお、図６の通知処理は、送信装置１００がＨレベルのＨＰＤ信号をＨＰＤラインを介して検出し、かつ、送信装置１００が受信装置３００からＥＤＩＤを取得した場合に行われるものとする。なお、送信装置１００がＨレベルのＨＰＤ信号をＨＰＤラインを介して検出していない場合、ＣＰＵ１０１は、図６に示される通知処理を行わない。また、送信装置１００がＨレベルのＨＰＤ信号をＨＰＤラインを介して検出している場合でも、送信装置１００が受信装置３００からＥＤＩＤを取得していない場合、ＣＰＵ１０１は、受信装置３００からＥＤＩＤを取得するまで、図６の通知処理を行わない。
【００７２】
Ｓ６０１において、ＣＰＵ１０１は、送信装置１００の動作モードが撮影モードであるか否かを判定する。ＣＰＵ１０１によって、送信装置１００の動作モードが撮影モードであると判定された場合（Ｓ６０１でＹｅｓ）、本フローチャートは、Ｓ６０１からＳ６０２に進む。ＣＰＵ１０１によって、送信装置１００の動作モードが撮影モードでないと判定された場合（Ｓ６０１でＮｏ）、本フローチャートは、Ｓ６０１からＳ６１７に進む。
【００７３】
Ｓ６０２において、ＣＰＵ１０１は、撮像部１０４及び画像処理部１０５によって生成される画像データを受信装置３００に送信するようにデータ送信部１０３ｂを制御する。この場合、本フローチャートは、Ｓ６０２からＳ６０３に進む。
【００７４】
Ｓ６０３において、ＣＰＵ１０１は、受信装置３００が所定の付加データを使用することができるか否かを判定する。例えば、ＣＰＵ１０１は、受信装置３００から取得したＥＤＩＤを用いて、受信装置３００が所定の付加データを使用することができるか否かを判定するようにしてもよい。また、例えば、ＣＰＵ１０１は、受信装置３００が所定の付加データを使用することができるか否かを確認するためのコマンドを受信装置３００に送信してもよい。この場合、ＣＰＵ１０１は、受信装置３００からの応答に応じて、受信装置３００が所定の付加データを使用することができるか否かを判定するようにする。
【００７５】
ＣＰＵ１０１によって、受信装置３００が所定の付加データを使用することができると判定された場合（Ｓ６０３でＹｅｓ）、本フローチャートは、Ｓ６０３からＳ６０４に進む。ＣＰＵ１０１によって、受信装置３００が所定の付加データを使用することができないと判定された場合（Ｓ６０３でＮｏ）、本フローチャートは、Ｓ６０３からＳ６２４に進む。
【００７６】
Ｓ６０４において、ＣＰＵ１０１は、第１のファイル名を示すデータを含む所定の付加データを生成する。さらに、ＣＰＵ１０１は、生成された所定の付加データがＴＭＤＳライン２０２を介して、受信装置３００に送信されるように、データ送信部１０３ｂを制御する。なお、第１のファイル名は、Ｓ６０４において、画像データとともに受信装置３００に送信される。この場合、本フローチャートは、Ｓ６０４からＳ６０５に進む。
【００７７】
Ｓ６０５において、ＣＰＵ１０１は、画像データの記録を開始するための操作信号が操作部１０８を介して送信装置１００に入力されたか否かを判定する。ＣＰＵ１０１によって、画像データの記録を開始するための操作信号が操作部１０８を介して送信装置１００に入力されたと判定された場合（Ｓ６０５でＹｅｓ）、本フローチャートは、Ｓ６０５からＳ６０６に進む。ＣＰＵ１０１によって、画像データの記録を開始するための操作信号が操作部１０８を介して送信装置１００に入力されていないと判定された場合（Ｓ６０５でＮｏ）、本フローチャートは、Ｓ６０５からＳ６０１に戻る。
【００７８】
Ｓ６０６において、ＣＰＵ１０１は、撮像部１０４及び画像処理部１０５によって生成される画像データを含むファイルを生成するようにファイル生成部１０６ｂを制御する。さらに、ＣＰＵ１０１は、ファイル生成部１０６ｂによって生成されたファイルが記録媒体１０６ａに記録されるように記録部１０６を制御する。なお、Ｓ６０６において、ファイル生成部１０６ｂによって生成されるファイルには、データ送信部１０３ｂによって受信装置３００に送信される画像データに対応する画像データが含まれる。この場合、本フローチャートは、Ｓ６０６からＳ６０７に進む。
【００７９】
Ｓ６０７において、ＣＰＵ１０１は、Ｓ６０３と同様に受信装置３００が所定の付加データを使用することができるか否かを判定する。ＣＰＵ１０１によって、受信装置３００が所定の付加データを使用することができると判定された場合（Ｓ６０７でＹｅｓ）、本フローチャートは、Ｓ６０７からＳ６０８に進む。ＣＰＵ１０１によって、受信装置３００が所定の付加データを使用することができないと判定された場合（Ｓ６０７でＮｏ）、本フローチャートは、Ｓ６０７からＳ６２５に進む。
【００８０】
Ｓ６０８において、ＣＰＵ１０１は、第２のファイル名を示すデータを含む所定の付加データを生成する。さらに、ＣＰＵ１０１は、生成された所定の付加データがＴＭＤＳライン２０２を介して、受信装置３００に送信されるように、データ送信部１０３ｂを制御する。なお、第２のファイル名は、Ｓ６０８において、画像データとともに受信装置３００に送信される。この場合、本フローチャートは、Ｓ６０８からＳ６０９に進む。
【００８１】
Ｓ６０９において、ＣＰＵ１０１は、ファイル生成部１０６ｂによって生成されるファイルのデータ量Ｍが所定値Ａ以下であるか否かを判定する。ＣＰＵ１０１によって、ファイル生成部１０６ｂによって生成されるファイルのデータ量Ｍが所定値Ａ以下であると判定された場合（Ｓ６０９でＹｅｓ）、本フローチャートは、Ｓ６０９からＳ６１４に進む。ＣＰＵ１０１によって、ファイル生成部１０６ｂによって生成されるファイルのデータ量Ｍが所定値Ａ以下でないと判定された場合（Ｓ６０９でＮｏ）、本フローチャートは、Ｓ６０９からＳ６１０に進む。
【００８２】
Ｓ６１０において、ＣＰＵ１０１は、生成されているファイルを分割するようにファイル生成部１０６ｂを制御し、新たなファイルを生成するようにファイル生成部１０６ｂを制御する。この場合、本フローチャートは、Ｓ６１０からＳ６１１に進む。なお、Ｓ６１０において、ファイルの分割が行われた後に、ファイル生成部１０６ｂによって新たに生成されるファイルには、データ送信部１０３ｂによって受信装置３００に送信される画像データに対応する画像データが含まれる。
【００８３】
Ｓ６１１において、ＣＰＵ１０１は、データ送信部１０３ｂによって受信装置３００に送信される画像データに対応する画像データのファイルが分割されたことを受信装置３００に通知する。例えば、ＣＰＵ１０１は、受信装置３００に送信される画像データに対応する画像データのファイルが分割されたことを示すデータを含む付加データを生成し、これを画像データとともに受信装置３００に送信するようにデータ送信部１０３ｂを制御してもよい。また、例えば、ＣＰＵ１０１は、受信装置３００に送信される画像データに対応する画像データのファイルが分割されたことを示すデータを含むコマンドを生成し、これを受信装置３００に送信するようにコマンド処理部１０３ｃを制御してもよい。この場合、本フローチャートは、Ｓ６１１からＳ６１２に進む。
【００８４】
Ｓ６１２において、ＣＰＵ１０１は、Ｓ６０３と同様に受信装置３００が所定の付加データを使用することができるか否かを判定する。ＣＰＵ１０１によって、受信装置３００が所定の付加データを使用することができると判定された場合（Ｓ６１２でＹｅｓ）、本フローチャートは、Ｓ６１２からＳ６１３に進む。ＣＰＵ１０１によって、受信装置３００が所定の付加データを使用することができないと判定された場合（Ｓ６１２でＮｏ）、本フローチャートは、Ｓ６１２からＳ６２６に進む。
【００８５】
Ｓ６１３において、ＣＰＵ１０１は、第３のファイル名を示すデータを含む所定の付加データを生成する。さらに、ＣＰＵ１０１は、生成された所定の付加データがＴＭＤＳライン２０２を介して、受信装置３００に送信されるように、データ送信部１０３ｂを制御する。なお、第３のファイル名は、Ｓ６１３において、画像データとともに受信装置３００に送信される。この場合、本フローチャートは、Ｓ６１３からＳ６１４に進む。
【００８６】
Ｓ６１４において、ＣＰＵ１０１は、画像データの記録を停止するための操作信号が操作部１０８を介して送信装置１００に入力されたか否かを判定する。ＣＰＵ１０１によって、画像データの記録を停止するための操作信号が操作部１０８を介して送信装置１００に入力されたと判定された場合（Ｓ６１４でＹｅｓ）、本フローチャートは、Ｓ６１４からＳ６１５に進む。ＣＰＵ１０１によって、画像データの記録を停止するための操作信号が操作部１０８を介して送信装置１００に入力されていないと判定された場合（Ｓ６１４でＮｏ）、本フローチャートは、Ｓ６１４からＳ６０６に戻る。
【００８７】
Ｓ６１５において、ＣＰＵ１０１は、画像データの送信を停止するための操作信号が操作部１０８を介して送信装置１００に入力されたか否かを判定する。ＣＰＵ１０１によって、画像データの送信を停止するための操作信号が操作部１０８を介して送信装置１００に入力されたと判定された場合（Ｓ６１５でＹｅｓ）、本フローチャートは、Ｓ６１５からＳ６１６に進む。ＣＰＵ１０１によって、画像データの送信を停止するための操作信号が操作部１０８を介して送信装置１００に入力されていないと判定された場合（Ｓ６１５でＮｏ）、本フローチャートは、Ｓ６１５からＳ６０１に戻る。
【００８８】
Ｓ６１６において、ＣＰＵ１０１は、画像データの生成を停止するように撮像部１０４及び画像処理部１０５を制御し、画像データの送信を停止するようにデータ送信部１０３ｂを制御する。この場合、本フローチャートは終了する。なお、Ｓ６１６において、ＣＰＵ１０１は、画像データの生成を停止するように撮像部１０４及び画像処理部１０５を制御し、データを送信する動作を停止させないようにデータ送信部１０３ｂを制御してもよい。
【００８９】
Ｓ６１７において、ＣＰＵ１０１は、送信装置１００の動作モードが再生モードであるか否かを判定する。ＣＰＵ１０１によって、送信装置１００の動作モードが再生モードであると判定された場合（Ｓ６１７でＹｅｓ）、本フローチャートは、Ｓ６１７からＳ６１８に進む。ＣＰＵ１０１によって、送信装置１００の動作モードが再生モードでないと判定された場合（Ｓ６１７でＮｏ）、本フローチャートは、Ｓ６１７からＳ６２３に進む。
【００９０】
Ｓ６１８において、ＣＰＵ１０１は、画像データの再生を開始するための操作信号が操作部１０８を介して送信装置１００に入力されたか否かを判定する。ＣＰＵ１０１によって、画像データの再生を開始するための操作信号が操作部１０８を介して送信装置１００に入力されたと判定された場合（Ｓ６１８でＹｅｓ）、本フローチャートは、Ｓ６１８からＳ６１９に進む。ＣＰＵ１０１によって、画像データの再生を開始するための操作信号が操作部１０８を介して送信装置１００に入力されていないと判定された場合（Ｓ６１８でＮｏ）、本フローチャートは、Ｓ６１８からＳ６２３に進む。
【００９１】
Ｓ６１９において、ＣＰＵ１０１は、再生が指示されているファイルに含まれる画像データを読み出すように記録部１０６を制御し、読み出された画像データを受信装置３００に送信するようにデータ送信部１０３ｂを制御する。この場合、本フローチャートは、Ｓ６１９からＳ６２０に進む。
【００９２】
Ｓ６２０において、ＣＰＵ１０１は、受信装置３００が所定の付加データを使用することができるか否かを判定する。ＣＰＵ１０１によって、受信装置３００が所定の付加データを使用することができると判定された場合（Ｓ６２０でＹｅｓ）、本フローチャートは、Ｓ６２０からＳ６２１に進む。ＣＰＵ１０１によって、受信装置３００が所定の付加データを使用することができないと判定された場合（Ｓ６２０でＮｏ）、本フローチャートは、Ｓ６２０からＳ６２７に進む。
【００９３】
Ｓ６２１において、ＣＰＵ１０１は、Ｓ６１９によって再生されているファイルに対応するファイル名を所定の付加データを用いて受信装置３００に通知する。再生されているファイルに対応するファイル名を「第４のファイル名」と呼ぶものとする。この場合、ＣＰＵ１０１は、第４のファイル名を示すデータを含む所定の付加データを生成する。さらに、ＣＰＵ１０１は、生成された所定の付加データがＴＭＤＳライン２０２を介して、受信装置３００に送信されるように、データ送信部１０３ｂを制御する。なお、第４のファイル名は、Ｓ６２１において、画像データとともに受信装置３００に送信される。この場合、本フローチャートは、Ｓ６２１からＳ６２２に進む。
【００９４】
Ｓ６２２において、ＣＰＵ１０１は、画像データの再生を停止するための操作信号が操作部１０８を介して送信装置１００に入力されたか否かを判定する。ＣＰＵ１０１によって、画像データの再生を停止するための操作信号が操作部１０８を介して送信装置１００に入力されたと判定された場合（Ｓ６２２でＹｅｓ）、本フローチャートは、Ｓ６２２からＳ６２３に進む。ＣＰＵ１０１によって、画像データの再生を停止するための操作信号が操作部１０８を介して送信装置１００に入力されていないと判定された場合（Ｓ６２２でＮｏ）、本フローチャートは、Ｓ６２２からＳ６０１に戻る。
【００９５】
Ｓ６２３において、ＣＰＵ１０１は、画像データの再生を停止するように記録部１０６を制御し、画像データの送信を停止するようにデータ送信部１０３ｂを制御する。この場合、本フローチャートは終了する。なお、Ｓ６２３において、ＣＰＵ１０１は、画像データの再生を停止するように記録部１０６を制御し、データを送信するための動作を停止させないようにデータ送信部１０３ｂを制御してもよい。
【００９６】
Ｓ６２４において、ＣＰＵ１０１は、第１のファイル名を示すデータを含む所定のコマンドを生成する。さらに、ＣＰＵ１０１は、生成された所定のコマンドがＣＥＣライン２０３を介して、受信装置３００に送信されるように、コマンド処理部１０３ｃを制御する。この場合、本フローチャートは、Ｓ６２４からＳ６０５に進む。
【００９７】
Ｓ６２５において、ＣＰＵ１０１は、第２のファイル名を示すデータを含む所定のコマンドを生成する。さらに、ＣＰＵ１０１は、生成された所定のコマンドがＣＥＣライン２０３を介して、受信装置３００に送信されるように、コマンド処理部１０３ｃを制御する。この場合、本フローチャートは、Ｓ６２５からＳ６０９に進む。
【００９８】
Ｓ６２６において、ＣＰＵ１０１は、第３のファイル名を示すデータを含む所定のコマンドを生成する。さらに、ＣＰＵ１０１は、生成された所定のコマンドがＣＥＣライン２０３を介して、受信装置３００に送信されるように、コマンド処理部１０３ｃを制御する。この場合、本フローチャートは、Ｓ６２６からＳ６１４に進む。
【００９９】
Ｓ６２７において、ＣＰＵ１０１は、Ｓ６１９によって再生されているファイルに対応するファイル名を所定のコマンドを用いて受信装置３００に通知する。この場合、ＣＰＵ１０１は、第４のファイル名を示すデータを含む所定のコマンドを生成する。さらに、ＣＰＵ１０１は、生成された所定のコマンドがＣＥＣライン２０３を介して、受信装置３００に送信されるように、コマンド処理部１０３ｃを制御する。この場合、本フローチャートは、Ｓ６２７からＳ６２２に進む。
【０１００】
図６の通知処理のＳ６０３、Ｓ６０７、Ｓ６１２及びＳ６２０の処理において、ＣＰＵ１０１は、受信装置３００が所定の付加データを使用することができるか否かを判定するようにした。これにより、ＣＰＵ１０１は、この判定結果に応じて、ファイル名を所定の付加データを用いて受信装置３００に通知するか、ファイル名を所定のコマンドを用いて受信装置３００に通知するかを制御するようにした。しかし、これに限られないものとする。
【０１０１】
例えば、ＣＰＵ１０１は、Ｓ６０３、Ｓ６０７、Ｓ６１２及びＳ６２０の処理において、所定の付加データを用いて、ファイル名を受信装置３００に通知するように設定されているか否かを判定するようにしてもよい。これにより、ＣＰＵ１０１は、所定の付加データを用いて、ファイル名を受信装置３００に通知するように設定されていると判定された場合、ファイル名を所定の付加データを用いて受信装置３００に通知するようにする。また、この場合、ＣＰＵ１０１は、所定の付加データを用いて、ファイル名を受信装置３００に通知するように設定されていないと判定された場合、ファイル名を所定のコマンドを用いて受信装置３００に通知するようにする。
【０１０２】
また、例えば、ＣＰＵ１０１は、Ｓ６０３、Ｓ６０７、Ｓ６１２及びＳ６２０の処理において、所定のコマンドを用いて、ファイル名を受信装置３００に通知するように設定されているか否かを判定するようにしてもよい。これにより、ＣＰＵ１０１は、所定のコマンドを用いて、ファイル名を受信装置３００に通知するように設定されていると判定された場合、ファイル名を所定のコマンドを用いて受信装置３００に通知するようにする。また、この場合、ＣＰＵ１０１は、所定のコマンドを用いて、ファイル名を受信装置３００に通知するように設定されていないと判定された場合、ファイル名を所定の付加データを用いて受信装置３００に通知するようにする。
【０１０３】
また、図６の通知処理において、送信装置１００は、所定の付加データ及び所定のコマンドを用いて、ファイル名を受信装置３００に送信するようにしてもよい。
【０１０４】
なお、Ｓ６１０の処理が行われた後に、再び、Ｓ６０９の処理が行われる場合、ＣＰＵ１０１は、ファイルの分割が行われた後に、ファイル生成部１０６ｂによって生成されるファイルのデータ量Ｍが所定値Ａ以下であるか否かを判定するようにするものとする。
【０１０５】
また、送信装置１００は、Ｓ６２１及びＳ６２７のいずれか一つの処理において、第４のファイル名を受信装置３００に通知するようにした。しかし、送信装置１００は、受信装置３００から第４のファイル名の通知を要求された場合に、Ｓ６２１及びＳ６２７のいずれか一つの処理を行うことによって第４のファイル名を受信装置３００に通知するようにしてもよい。この場合、受信装置３００から第４のファイル名の通知を要求されていない場合、送信装置１００は、第４のファイル名を受信装置３００に通知しないようにしてもよい。また、送信装置１００は、Ｓ６１９において受信装置３００に送信されている再生画像データを受信装置３００が記録していることを検出した場合、Ｓ６２１及びＳ６２７のいずれか一つの処理を行うことで第４のファイル名を受信装置３００に通知してもよい。この場合、Ｓ６１９において受信装置３００に送信されている再生画像データを受信装置３００が記録していないことを検出した場合、送信装置１００は、第４のファイル名を受信装置３００に通知しないようにしてもよい。
【０１０６】
実施例１に係る送信装置１００において、送信装置１００が受信装置３００に画像データを送信する場合に、受信装置３００に送信される画像データに関連するファイル名を通知するために、図６の通知処理が行われるようにした。しかし、これに限られないものとする。例えば、図６の通知処理は、送信装置１００が受信装置３００に画像データ及び音声データを送信する場合に行われても良いものとする。また、例えば、図６の通知処理は、送信装置１００が受信装置３００に画像データを送信しないが、送信装置１００が受信装置３００に音声データを送信する場合に行われても良いものとする。
【０１０７】
なお、実施例１の送信装置１００において、送信装置１００から受信装置３００に送信される画像データの解像度は、例えば、水平画素数が３８４０であり、垂直画素数が２１６０であってもよい。また、実施例１の送信装置１００において、送信装置１００から受信装置３００に送信される画像データの解像度は、例えば、水平画素数が４０９６であり、垂直画素数が２１６０であってもよい。また、また、実施例１の送信装置１００において、送信装置１００から受信装置３００に送信される画像データの解像度は、上記の解像度以外の解像度であってもよい。
【０１０８】
このように、実施例１において、送信装置１００は、画像データを受信装置３００に送信する場合、受信装置３００に送信する画像データに関連するファイル名を受信装置３００に通知するようにした。これにより、受信装置３００が、送信装置１００から受信した画像データを含むファイルのファイル名を特定の規定により指定できない場合でも、送信装置１００は、送信装置１００に記録されるファイルのファイル名を受信装置３００に対して指定できる。この場合、受信装置３００は、送信装置１００に記録されるファイルのファイル名と一致するファイルを生成し、生成したファイルを送信装置１００において生成されるファイルと関連付けて管理することができる。
【０１０９】
このため、例えば、送信装置１００から受信装置３００が受信した画像データの編集が行われる場合、受信装置３００で生成されるファイルと、送信装置１００で記録されているファイルとの関連性を容易に把握することができる。そのため、ユーザは、画像データの編集を適切に行うことができる。また、送信装置１００は、画像データの編集が行われる場合、送信装置１００に記録されているファイルをメインの画像として用いるとともに、受信装置３００で生成されたファイルをプロキシ画像として用いるようにすることができる。また、送信装置１００は、画像データの編集を行う際、送信装置１００に記録されているファイルをプロキシ画像として用いるとともに、受信装置３００で生成されたファイルをメインの画像として用いるようにすることもできる。
【０１１０】
したがって、送信装置１００は、受信装置３００に画像データを送信する場合、受信装置３００に送信する前の画像データに関するデータを受信装置３００に通知することにより、受信装置３００による画像データの管理が適切に行えるようにすることができる。
【０１１１】
実施例１において、第１のファイル名、第２のファイル名、第３のファイル及び第４のファイル名の少なくとも一つを＜Ｖｅｎｄｏｒ  Ｃｏｍｍａｎｄ  ｗｉｔｈ  ＩＤ＞を用いて受信装置３００に通知するようにした。また、実施例１において、第１のファイル名、第２のファイル名、第３のファイル及び第４のファイル名の少なくとも一つをＶｅｎｄｏｒ−Ｓｐｅｃｉｆｉｃ  ＩｎｆｏＦｒａｍｅを用いて受信装置３００に送信するようにした。しかし、これに限られないものとする。
【０１１２】
例えば、送信装置１００は、ＨＤＭＩ規格のＨＥＣ（ＨＤＭＩ  Ｅｔｈｅｒｎｅｔ（登録商標）  Ｃｈａｎｎｅｌ）を用いて、第１のファイル名、第２のファイル名、第３のファイル名及び第４のファイル名の少なくとも一つを受信装置３００に送信するようにしてもよい。この場合、イーサネット（登録商標）によって、送信装置１００から受信装置３００に第１のファイル名、第２のファイル名、第３のファイル及び第４のファイル名の少なくとも一つが送信される。
【０１１３】
なお、実施例１における送信装置１００は、ＨＤＭＩ規格に対応する通信によって、画像データ及びファイル名を受信装置３００に送信するようにしたが、これに限られないものとする。
【０１１４】
例えば、送信装置１００は、ＨＤＭＩ規格と互換性のある規格に対応する通信によって、画像データ及びファイル名を受信装置３００に送信するようにしてもよい。
【０１１５】
また、例えば、送信装置１００は、ＤＶＩ（Ｄｉｇｉｔａｌ  Ｖｉｓｕａｌ  Ｉｎｔｅｒｆａｃｅ）（登録商標）規格に対応する通信によって、画像データ及びファイル名を受信装置３００に送信するようにしてもよい。
【０１１６】
また、例えば、送信装置１００は、Ｄｉｓｐｌａｙ  Ｐｏｒｔ（登録商標）規格に対応する通信によって、画像データ及びファイル名を受信装置３００に送信するようにしてもよい。
【０１１７】
また、例えば、送信装置１００は、ＤｉｉＶａ（Ｄｉｇｉｔａｌ  Ｉｎｔｅｒｆａｃｅ  ｆｏｒ  Ｖｉｄｅｏ  ａｎｄ  Ａｕｄｉｏ）に対応する通信によって、画像データ及びファイル名を受信装置３００に送信するようにしてもよい。
【０１１８】
また、例えば、送信装置１００は、ＭＨＬ（Ｍｏｂｉｌｅ  Ｈｉｇｈ−ｄｅｆｉｎｉｔｉｏｎ  Ｌｉｎｋ）（登録商標）規格に対応する通信によって、画像データ及びファイル名を受信装置３００に送信するようにしてもよい。
【０１１９】
また、例えば、送信装置１００は、ＵＳＢ（Ｕｎｉｖｅｒｓａｌ  Ｓｅｒｉａｌ  Ｂｕｓ）規格に対応する通信によって、画像データ及びファイル名を受信装置３００に送信するようにしてもよい。
【０１２０】
また、例えば、送信装置１００は、ＳＤＩ（Ｓｅｒｉａｌ  Ｄｉｇｉｔａｌ  Ｉｎｔｅｒｆａｃｅ）規格に対応する通信によって、画像データ及びファイル名を受信装置３００に送信するようにしてもよい。
【０１２１】
また、例えば、送信装置１００は、Ｗｉｒｅｌｅｓｓ  ＨＤ（登録商標）規格によって、画像データ及びファイル名を受信装置３００に送信するようにしてもよい。
【０１２２】
また、例えば、送信装置１００は、ＷＨＤＩ（Ｗｉｒｅｌｅｓｓ  Ｈｏｍｅ  Ｄｉｇｉｔａｌ  Ｉｎｔｅｒｆａｃｅ）規格によって、画像データ及びファイル名を受信装置３００に送信するようにしてもよい。
【０１２３】
また、送信装置１００は、画像データとともに、画像データに関連するファイル名を受信装置３００に送信するようにした。しかし、送信装置１００は、受信装置３００に送信される画像データに関連するファイルのファイル名の代わりに、受信装置３００に送信される画像データに関連するファイルを識別するための識別データを受信装置３００に送信するようにしてもよい。この場合、送信装置１００は、第１のファイル名の代わりに、送信装置１００によって記録されると予測されるファイルを識別するための識別データを受信装置３００に送信してもよい。この場合、送信装置１００は、第２のファイル名の代わりに、記録媒体１０６ａに記録されるファイルに記録されるファイルを識別するための識別データを受信装置３００に送信してもよい。この場合、送信装置１００は、第３のファイル名の代わりに、ファイルの分割が行われた後に、ファイル生成部１０６ｂによって新たに生成され、記録媒体１０６ａに記録されるファイルを識別するための識別データを受信装置３００に送信してもよい。この場合、送信装置１００は、第４のファイル名の代わりに、再生されているファイルを識別するための識別データを受信装置３００に送信してもよい。
【０１２４】
［他の実施例］
本発明に係る送信装置は、実施例１で説明した送信装置１００に限定されるものではない。また、本発明に係る受信装置は、実施例１で説明した受信装置３００に限定されるものではない。本発明に係る送信装置は、例えば、複数の装置から構成されるシステムにより実現することも可能である。また、本発明に係る受信装置は、例えば、複数の装置から構成されるシステムにより実現することも可能である。
【０１２５】
また、実施例１において説明した処理、構成、機能及びシステムは、コンピュータで実行可能なコンピュータプログラムによって実現することもできる。この場合、当該コンピュータプログラムは、コンピュータ読取可能な記録媒体から当該コンピュータによって読み出され、当該コンピュータで実行される。また、この場合、当該コンピュータ読取可能な記録媒体には、ハードディスク装置、光ディスク、ＣＤ−ＲＯＭ、ＣＤ−Ｒ、メモリカード、ＲＯＭ等を用いることができる。なお、当該コンピュータプログラムは、通信インターフェースを介して外部装置から当該コンピュータに提供され、当該コンピュータで実行されるようにしてもよい。
【符号の説明】
【０１２６】
１００  送信装置
３００  受信装置
【図１】
2013243473.tif 000003
【図２】
2013243473.tif 000004
【図３】
2013243473.tif 000005
【図４】
2013243473.tif 000006
【図５】
2013243473.tif 000007
【図６】
2013243473.tif 000008